(57)【特許請求の範囲】
【請求項１】
植木鉢の内部を隔壁で仕切り、該隔壁内に空隙を設け、該空隙がその下端において前記植木鉢の底下面に開口し、前記植木鉢と隔壁とが素焼で一体成形してなり、かつ、前記隔壁で仕切られた各室の底に排水口を設けてなる寄植え用植木鉢。
【発明の詳細な説明】
【０００１】
【発明の属する技術分野】
この発明は、寄植え用の植木鉢に関するものである。
【０００２】
【従来の技術】
従来、寄植え用として特別に企画された植木鉢はなく、普通の植木鉢か、底面積の比較的広い植木鉢が使用されている。
【０００３】
【発明が解決しようとする課題】
従来の植木鉢による寄植えでは、開花期が異なると先に開花期が終わった植物を新しいものと取り替えようとすると、残す植物の根を傷め、土が崩れて来て新しい植物を植えるのに手数がかかり、美しく仕上げるのが難しい。
結局、植木鉢から全部植物や土を取り出して植え替えなければならないので手数や時間がかかり、残す植物を傷める恐れもある。
【０００４】
この発明は、取り替えない植物や土に影響を与えることなく、取り替える植物や土だけを取り除き、新たに植物や土を入れて寄植えし、その時々の植物に取り替えて、継続して鑑賞することを可能とする寄植え用植木鉢を提供することを目的とする。
【０００５】
【課題を解決するための手段】
植木鉢の内部を隔壁で仕切り、該隔壁内に空隙を設け、該空隙がその下端において前記植木鉢の底下面に開口し、前記植木鉢と隔壁とが素焼で一体成形してなり、かつ、前記隔壁で仕切られた各室の底に排水口を設けて寄植え用植木鉢とする。
また、隣接する内面壁のそれぞれに縦溝を設けた角型植木鉢本体と、アングル状の隔壁とよりなり、前記隔壁の両側縁を前記植木鉢の縦溝に嵌合して前記植木鉢の内部を２つの室に分割し、かつ、前記隔壁を取り外し可能とし、前記隔壁の両側縁を前記縦溝に嵌合して前記植木鉢の内部を２つの室に分割した場合の２つの室の底に排水用の孔を設けて寄植え用植木鉢とする。
【０００６】
【発明の実施の形態】
この発明の実施の形態を図面により説明する。
寄植え用植木鉢１は、円形の植木鉢であって、内部を中心を同じくする円筒の隔壁２で内室３と外周室４の２室に分割している。
隔壁２の高さは、寄植え用植木鉢１の外周上縁の高さと同じか、または、それ以上の高さとするのが好ましい。
【０００７】
隔壁２の外周壁は略垂直であり、内壁はすり鉢式にやや傾斜している。しかしながら、上記構造に限定するものではなく、外周壁も末広がりに傾斜してもよく、また、内壁および外周壁が垂直であってもよい。
【０００８】
外周室４は植物を植えるのに必要な空間を有する大きさであって、その大きさを限定するものではないが、幅および深さ共１０ｃｍ以上のものが好ましい。
【０００９】
内室３は、大きさを限定するものではないが、直径１０ｃｍ以上の植木鉢を挿入できる大きさとするのが好ましい。
【００１０】
内室３の底に一または複数の排水口５を、外周室４の底に１または複数の排水口６を設ける。
【００１１】
内室３の底の上面を中心点に向かって下降傾斜させ、中心点に排水口５を設けるのが好ましい。
【００１２】
寄植え用植木鉢１が素焼きのように空気が流通しやすい素材である場合には、隔壁を図４に示す隔壁２ａのように、隔壁内に、寄植え用植木鉢１の底下面に開口する空隙７を設け、寄植え用植木鉢１の底外周縁または底下面に、図２に示すように切り欠き３３を設けた、リング状の突部を設けるか、または、寄植え用植木鉢１の底下面に３個またはそれ以上の突部を設けて、寄植え用植木鉢１の底下面と接地面との間に空間を設ければ、内室３および外周室４の空気の流通がよくなり好ましい。
【００１３】
寄植え用植木鉢１は次のように使用する。
外周室４に土を入れ、好みの植物、例えば草花８を植える。次に、一般に市販されている植木鉢９に別の植物、例えば草花８とは別の草花１０を植え、その植木鉢９、または、すでに植物を植え込んで市販されている植木鉢を隔壁２に囲まれた内室３に挿入する。
【００１４】
植木鉢９は上方開口縁にフランジ１１があるものが好ましい。植木鉢９を内室３に挿入した時に、フランジ１１が隔壁２の上縁で支えられ、植木鉢９を内室３より取り出すのが容易である。
【００１５】
草花８と１０とは色の異なる花あるいは葉のものとすれば美しい色彩模様を楽しむことが出来、更に背丈の異なるものとすれば、その模様を立体的にする。
【００１６】
草花８、１０いずれか一方の花が先に終わった場合、例えば草花１０の花が先に終わった場合には、植木鉢９を内室３から抜き出し、草花１０を取替えて他の新しい草花を植え、再び植木鉢９を内室３に挿入する。
抜き出した植木鉢の代わりに、すでに植物を植え込んで市販されている植木鉢を内室３に挿入してもよい。
この植え替え時には外周室４内の土に触れることなく、土が崩れることもなく、草花８には何ら影響がないので、草花８が傷むことがない。
【００１７】
草花８を他の新しい草花と植え替えたい時には、植木鉢９を内室３から抜き出した後に、草花８を取替え、外周室４に他の新しい草花を植えた後、植木鉢９を内室３へ戻す。この植え替えの際には植木鉢９の草花１０や土壌は影響されない。
【００１８】
植木鉢９と外周室４の草花を開花期の異なるものや鑑賞期間の異なる植物を植えて順次取り替えることにより、継続的に寄植えを鑑賞し楽しむことが出来る。
【００１９】
寄植え用植木鉢１は、円形の植木鉢で、隔壁２または２ａを同心円形にするものであるが、楕円形の植木鉢に同心の円または楕円形の隔壁を設けたものでもよい。また、図６に示すように、方形の植木鉢で隔壁２または２ａを中心を同じくする方形とする寄植え用植木鉢１２であってもよい。
また、矩形、六角形、８角形等の植木鉢に同形または異形の隔壁２または２ａを設けたものでもよい。
【００２０】
上記実施の形態の寄植え用植木鉢は、隔壁の中心を植木鉢の中心と同じくするものであるが、図７に示すように、隔壁２または２ａの中心を円形の植木鉢の中心と偏心させた寄植え用植木鉢１３としてもよい。
また、図８に示すように、角形の植木鉢の一隅をアングル状、すなわち、上縁がＬ字形の隔壁２または２ａで区切り、内室３に相当する小室１４と、外周室４に相当するＬ字形の大きい外室１５とを設けて寄植え用植木鉢１６を構成してもよい。
【００２１】
前記実施の形態の寄植え用植木鉢において、内室３や小室１４が円形や方形である場合には、それに挿入して使用する植木鉢は一般に市販のものを用いることが出来るが、円形や方形でない場合には、その形状に適合する形状の植木鉢を一組として製造する。
【００２２】
図９は他の実施の形態の寄植え用植木鉢１７を示す。
寄植え用植木鉢１７は、植木鉢本体１８と個別に成形された隔壁用の筒体１９とよりなる。
筒体１９は、植木鉢本体１８内に収納されて、植木鉢本体１８内を筒体１９内の内室２０と筒体１９外の外周室２１の２室に分割する。
内室２０と外周室２１とは植物を植えるのに充分な空間を有するものとする。植木鉢本体１８は、円形、楕円形、角形のいずれの形状の鉢であってもよく、また筒体１９も円形、楕円形、角形のいずれの形状の筒であってもよい。
【００２３】
筒体１９の位置決めのために、筒体の内壁下端または外壁下端に位置する複数、好ましくは３個以上の突起２２、または、筒体１９の下縁部が嵌入できる溝を植木鉢本体１８の底上面に設けるのが好ましい。筒体１９は植木鉢本体１８と同心または偏心して組み合わせる。
図中、２３、２４は排水口である。
【００２４】
この寄植え用植木鉢１７の使用方法は前記の実施の形態の寄植え用植木鉢について説明した使用方法とほぼ同じで、植木鉢を内室２０に挿入して使用し、植木鉢を取り出して植物の植え替えをするが、外周室２１に植えた植物の植え替え時に筒体１９を取り出すことにより、土の取り替え等植え替え作業が容易である。
【００２５】
図１０に示す寄植え用植木鉢２５は、図８に示す寄植え用植木鉢１６の隔壁２（２ａ）を植木鉢本体より分離、嵌合、取外しを可能としたものである。
【００２６】
すなわち、アングル状の隔壁２６の両縁を植木鉢本体２７の隣接する２つの内面壁に設けた縦溝２８、２８に嵌入させて植木鉢本体２７の内部を内室１４ａと外周室１５ａとも分割可能とする。
植木鉢本体２７の底上面に隔壁２６の下縁部が嵌入できるＬ字状の溝を設けるのが好ましい。
寄植え用植木鉢２５の使用方法は、寄植え用植木鉢１７について説明した方法と同様である。
【００２７】
図１１に示す寄植え用植木鉢２９は、隔壁３０の内壁面を垂直にしたものである。この隔壁３０内に逆円錐形の植木鉢３１を挿入した場合には、植木鉢３１の外周と隔壁３０の内面との間に空隙が生じ、その空隙の空気が排水口３２を通じて外気と流通し、植木鉢３１および寄植え用植木鉢２９が素焼きの鉢のように空気が流通しやすい素材の場合には、植木鉢３１や寄植え用植木鉢２９の外周室に植えた植物の根の生育を良くする。
前記いずれの実施の形態の寄植え用植木鉢も隔壁の内面を垂直にするのが好ましい。
この場合には、寄植え用植木鉢１の底外周縁または底下面に、図２に示すように切り欠き３３を設けた、リング状の突部を設けるか、または、寄植え用植木鉢１の底下面に３個またはそれ以上の突部を設けて、寄植え用植木鉢１の底下面と接地面との間に空間を設ければ、内室３および外周室４の空気の流通がよくなり好ましい。
【００２８】
【発明の効果】
この発明に係る寄植え用植木鉢は、植物を寄植えして鑑賞でき、開花期間や鑑賞期間の異なる植物を植えた場合に、先に期間の終了する植物を取り替える際に残す植物やその土壌に触れることなく、従って残す植物を傷めることなく植え替えることができる。
開花期間や鑑賞期間の異なる植物を順次取り替えることによって、継続して四季折々の植物の寄植えを楽しむことができる。
例えば、表１に記載のような植物の組み合わせが好ましい組み合わせの１例である。ただし、この組み合わせに限定するものではなく、各人の好みにより植物を組み合わせればよい。
【００２９】
【表１】
0003883680.tif 000002
【図面の簡単な説明】
【図１】寄植え用植木鉢の平面図である。
【図２】寄植え用植木鉢の斜視図である。
【図３】寄植え用植木鉢の断面図である。
【図４】他の実施の形態の寄植え用植木鉢の断面図である。
【図５】寄植え用植木鉢を用いた寄植えの説明図である。
【図６】他の実施の形態の寄植え用植木鉢の平面図である。
【図７】他の実施の形態の寄植え用植木鉢の平面図である。
【図８】他の実施の形態の寄植え用植木鉢の平面図である。
【図９】他の実施の形態の寄植え用植木鉢の断面図である。
【図１０】他の実施の形態の寄植え用植木鉢の（Ａ）は平面図、（Ｂ）はＡ−Ａ断面図である。
【図１１】他の実施の形態の寄植え用植木鉢の断面図である。
【符号の説明】
１  寄植え用植木鉢
２  隔壁
３  内室
４  外周室
５  排水口
６  排水口
７  空隙
８  花の苗
９  植木鉢
１０  花の苗
１１  フランジ
１２  寄植え用植木鉢
１３  寄植え用植木鉢
１４  小室
１５  外室
１６  寄植え用植木鉢
１７  寄植え用植木鉢
１８  植木鉢本体
１９  筒体
２０  内室
２１  外周室
２２  突起
２３  排水口
２４  排水口
２５  寄植え用植木鉢
２６  隔壁
２７  植木鉢本体
２８  縦溝
２９  寄植え用植木鉢
３０  隔壁
３１  植木鉢
３２  排水口
３３  切り欠き
【図１】
0003883680.tif 000003
【図２】
0003883680.tif 000004
【図３】
0003883680.tif 000005
【図４】
0003883680.tif 000006
【図５】
0003883680.tif 000007
【図６】
0003883680.tif 000008
【図７】
0003883680.tif 000009
【図８】
0003883680.tif 000010
【図９】
0003883680.tif 000011
【図１０】
0003883680.tif 000012
【図１１】
0003883680.tif 000013